(57)【特許請求の範囲】
【請求項１】
光ディスクのリードインエリアに線速度一定方式で記憶され、当該リードインエリアの外周側に設けられたプログラムエリアに記録データを記録するための設定情報である第１必要情報、及び上記プログラムエリアの外周側に設けられたリードアウトエリアに線速度一定方式で記憶され、上記プログラムエリアに上記記録データを高速記録するための設定情報である第２必要情報を読み取る光ピックアップと、
上記光ディスクを回転駆動する回転駆動手段と、
上記光ピックアップを上記光ディスクの径方向に移動させる移動手段と、
上記光ピックアップ、上記移動手段及び上記回転駆動手段を制御する制御手段と、
上記第１必要情報に基づいて、上記光ディスクが高速記録に対応している特別型光ディスクか否かを判別する判別手段と
を具え、
上記制御手段は、
上記リードインエリアから上記第１必要情報を上記光ピックアップに読み取らせ、上記判別手段により上記第１必要情報に基づいて上記光ディスクが上記特別型光ディスクであると判別された場合、上記回転駆動部に上記光ディスクを角速度一定で回転させながら、上記リードインエリアから上記リードアウトエリアへ上記光ピックアップを上記移動手段により移動させ、上記光ディスクの角速度を上記回転駆動部に維持させたまま、上記リードアウトエリアから上記第２必要情報を上記光ピックアップに読み取らせる
記録装置。
【請求項２】
上記制御手段は、
上記リードインエリアから上記リードアウトエリアに上記光ピックアップを移動させる際、上記リードインエリアでの上記光ピックアップによる読み取り終了時における上記光ディスクの角速度を上記回転駆動手段に維持させる
請求項１に記載の記録装置。
【請求項３】
上記制御手段は、
上記光ピックアップにより上記リードアウトエリアから上記第２必要条件を読み取らせた後、上記リードインエリアの内周側に設けられたパワーキャリブレーションエリアへ上記光ピックアップを上記移動手段により移動させ、上記パワーキャリブレーションエリアにおいて上記第２必要情報に基づいてパワーキャリブレーションを行う
請求項２に記載の記録装置。
【請求項４】
上記制御手段は、
上記光ピックアップにより上記リードアウトエリアから上記第２必要条件を読み取らせた後、上記リードアウトエリアにおいて上記第２必要情報に基づいてパワーキャリブレーションを行う
請求項２に記載の記録装置。
【請求項５】
上記制御手段は、
上記光ピックアップによる上記リードアウトエリアでの読み取り終了時における上記光ディスクの角速度を上記回転駆動手段に維持させながら、上記リードアウトエリアから上記プログラムエリアに上記光ピックアップを上記移動手段に移動させ、上記光ピックアップにより上記プログラムエリアに上記記録データを記録させる
請求項２に記載の記録装置。
【請求項６】
光ディスクのリードインエリアに線速度一定方式で記憶され、当該リードインエリアの外周側に設けられたプログラムエリアに記録データを記録するための設定情報である第１必要情報を光ピックアップに読み取らせる第１のステップと、
上記第１必要情報に基づいて、上記光ディスクが高速記録に対応している特別型光ディスクか否かを判別する第２のステップと、
上記光ディスクが特別型光ディスクであると判別された場合、上記光ディスクを角速度一定で回転させながら、上記リードインエリアから、上記プログラムエリアの外周側に設けられたリードアウトエリアへ上記光ピックアップを移動させる第３のステップと、
上記光ディスクの角速度を上記回転駆動部に維持させたまま、上記リードアウトエリアに線速度一定方式で記憶され、上記特別型光ディスクに上記記録データを記録するための設定情報である第２必要情報を光ピックアップに読み取らせる第４のステップと
を具える記録方法。
【発明の詳細な説明】
【０００１】
【発明の属する技術分野】
本発明は、記録装置及び記録方法に関し、例えば同一箇所に一度だけ記録データを記録できるCD−R （Compact Disc-Recordable ）等のライトワンス（WO：Write Once）型の光ディスクや、同一箇所に何度でも記録データを記録し直せるCD−RW（RW：ReWritable）等のリライタブル型の光ディスクに対して、記録データの記録及び再生をする光ディスク装置に適用して好適なものである。
【０００２】
【従来の技術】
従来、この種の光ディスク装置においては、光ディスクの記録面に、記録データに応じて変調した光ビームを照射するようにして当該記録データを記録するようになされている。
【０００３】
かかる光ディスク装置の一形態として、光ディスクのトラック半径に反比例した回転速度になるようにスピンドルモータを制御して、記録再生の速度が光ディスク上のどこでも一定になるようにする線速度一定（CLV ；Constant Linear Velocity）方式の光ディスク装置がある。以下線速度一定方式の光ディスク装置を例にして、記録データの記録処理について説明する。
【０００４】
ところで従来の光ディスクの記録面には、図２に示すように、記録データを記録するためのプログラムエリアＡ１の内周側に、リードインエリアＡ２Ｃが設けられている。このリードインエリアＡ２Ｃには、絶対時間情報であるATIP（Absolute Time In Pre-groove ）に加えて、記録時の線速度に応じた光ビームのライトパワー情報等の当該光ディスクに関する情報（以下、これを「第１の必要情報」と呼ぶ）が記録されている。
【０００５】
そこで光ディスク装置においては、記録データの記録前に、光ビームのビームスポット位置をリードインエリアＡ２Ｃに移動させ、このリードインエリアＡ２Ｃに光ビームを照射することにより第１の必要情報を読み取る。
【０００６】
そしてかかる光ディスク装置においては、読み取った第１の必要情報に従って光ビームのパワー等を設定し、当該設定したパワーの光ビームをプログラムエリアＡ１に照射することにより、記録データを記録する。
【０００７】
【発明が解決しようとする課題】
ところで近年、CDへの記録方式の規格書であるOrange Book part2, Volume2,Ver0.9に開示されているように、1 倍速が線速度1.4[m/s]に相当するものとして、例えば8 〜20倍速の高速記録に対応できる光ディスク装置、及びこの高速記録対応の光ディスクが提案された。以下高速記録対応の光ディスクを「特別型光ディスク」と呼び、従来の高速非対応の光ディスクを「通常型光ディスク」と呼ぶ。
【０００８】
この特別型光ディスクには、高速記録時の線速度に応じた光ビームのライトパワー情報等の光ディスクに関する情報（以下、これを「第２の必要情報」と呼ぶ）を記録する必要があるが、上述のリードインエリアＡ２Ｃにこの第２の必要情報を記録すると、当該リードインエリアＡ２Ｃをリードしたときに、機種によっては記録禁止動作が作動するおそれがあった。
【０００９】
そこでかかる特別型光ディスクにおいては、プログラムエリアＡ１の外周側に設けられた図２に示すリードアウトエリアＡ２Ｄに、絶対時間情報であるATIPに加えて、当該第２の必要情報が記録されている。
【００１０】
この光ディスク装置においては、記録データの記録前に、まず光ビームのビームスポット位置をリードインエリアＡ２Ｃに移動させ、次いでリードインエリアＡ２Ｃに光ビームを照射することにより第１の必要情報を読み取る。
【００１１】
次いでこの光ディスク装置においては、読み取った第１の必要情報から、光ディスクが通常型光ディスクであるか特別型光ディスクであるかを判別する。
【００１２】
ここで判別した光ディスクが通常型光ディスクであるときは、光ディスク装置においては、この第１の必要情報に従って光ビームの適当なパワー等を設定し、次いで設定したパワーの光ビームをプログラムエリアＡ１に照射することにより、記録データを記録する。
【００１３】
また判別した光ディスクが特別型光ディスクであるときは、光ディスク装置においては、リードインエリアＡ２Ｃにおける光ディスクの回転速度を維持したまま、光ビームのビームスポット位置をリードインエリアＡ２ＣからリードアウトエリアＡ２Ｄに移動させる。
【００１４】
そして光ディスク装置においては、リードアウトエリアＡ２Ｄにおける線速度を一定にすべくスピンドルモータの回転速度を下げ、続いてこのリードアウトエリアＡ２Ｄに光ビームを照射することにより第２の必要情報を読み取り、これまでに読み取った第１及び第２の必要情報に従って光ビームの適当なパワー等を設定し、当該設定したパワーの光ビームでパワーキャリブレーションをする。
【００１５】
ここでパワーキャリブレーションとは、光ディスク３の記録面３Ａに形成される記録データを表す記録マークの長さを所定の基準長内に収める（すなわちアシンメトリの発生を抑える）のに最適な光ビームパワーとなるように、記録モードの開始直前に、パワーキャリブレーションエリアＡ２Ａ内に試験的に所定の試書き用データを記録しながら、光ディスク３に対する設定可能な書込速度及び記録面３Ａの材質に応じて、光ビームパワーを検出することをいう。
【００１６】
そして光ディスク装置においては、パワーキャリブレーションにより検出したパワーの光ビームをプログラムエリアＡ１に照射することにより、記録データを記録する。
【００１７】
ところが光ビームをリードアウトエリアＡ２Ｄに照射する前に、上述のようにスピンドルモータの回転速度を下げる処理をするため、スピンドルモータの回転制御が複雑になり、その分光ディスク装置の消費電力が大きくなる。またスピンドルモータの回転速度を下げる処理に多大な時間を要するため、リードアウトエリアＡ２Ｄからの第２の必要情報の読み取りが遅れ、その分記録処理が遅れる。従って光ディスク装置の使い勝手が悪化する点で問題があった。
【００１８】
本発明は以上の点を考慮してなされたもので、使い勝手を向上し得る記録装置及び記録方法を提案しようとするものである。
【００１９】
【課題を解決するための手段】
かかる課題を解決するため本発明においては、光ディスクのリードインエリアに線速度一定方式で記憶され、当該リードインエリアの外周側に設けられたプログラムエリアに記録データを記録するための設定情報である第１必要情報、及びプログラムエリアの外周側に設けられたリードアウトエリアに線速度一定方式で記憶され、プログラムエリアに記録データを高速記録するための設定情報である第２必要情報を読み取る光ピックアップと、光ディスクを回転駆動する回転駆動手段と、光ピックアップを光ディスクの径方向に移動させる移動手段と、光ピックアップ、移動手段及び回転駆動手段を制御する制御手段と、第１必要情報に基づいて、光ディスクが高速記録に対応している特別型光ディスクか否かを判別する判別手段とを具え、制御手段は、リードインエリアから第１必要情報を光ピックアップに読み取らせ、判別手段により第１必要情報に基づいて光ディスクが特別型光ディスクであると判別された場合、回転駆動部に光ディスクを角速度一定で回転させながら、リードインエリアからリードアウトエリアへ光ピックアップを移動手段により移動させ、光ディスクの角速度を回転駆動部に維持させたまま、リードアウトエリアから第２必要情報を光ピックアップに読み取らせるようにした。
【００２０】
この結果この記録装置では、リードインエリアからリードアウトエリアへ光ピックアップを移動させた際の光ディスクの角速度を回転駆動部に維持させたまま、リードアウトエリアから第２必要情報を光ピックアップに読み取らせるので、リードアウトエリアを読み取らせる際に回転駆動手段による回転制御を変更させる必要がないため、回転駆動手段の回転制御が容易になると共に、リードアウトエリアからの第２必要情報の読み取りを速くすることができる。
【００２１】
また本発明においては、光ディスクのリードインエリアに線速度一定方式で記憶され、当該リードインエリアの外周側に設けられたプログラムエリアに記録データを記録するための設定情報である第１必要情報を光ピックアップに読み取らせる第１のステップと、第１必要情報に基づいて、光ディスクが高速記録に対応している特別型光ディスクか否かを判別する第２のステップと、光ディスクが特別型光ディスクであると判別された場合、光ディスクが角速度一定で回転させながら、リードインエリアから、プログラムエリアの外周側に設けられたリードアウトエリアへ光ピックアップを移動させる第３のステップと、光ディスクの角速度を回転駆動部に維持させたまま、光ディスクのリードアウトエリアに線速度一定方式で記憶され、特別型光ディスクに記録データを記録するための設定情報である第２必要情報を光ピックアップに読み取らせる第４のステップとを設けるようにした。
【００２２】
この結果この記録方法では、リードインエリアからリードアウトエリアへ光ピックアップを移動させた際の光ディスクの角速度を回転駆動部に維持させたまま、リードアウトエリアから第２必要情報を光ピックアップに読み取らせるので、リードアウトエリアを読み取らせる際に回転駆動手段による回転制御を変更させる必要がないため、回転駆動手段の回転制御が容易になると共に、リードアウトエリアからの第２必要情報の読み取りを速くすることができる。
【００２３】
【発明の実施の形態】
以下図面について、本発明の一実施の形態を詳述する。
【００２４】
（１）実施の形態による光ディスク装置の構成
図１において、１は全体として本実施の形態による光ディスク装置を示し、ホストコンピュータ２から与えられるデータＤ１を光ディスク３に記録したり、これを光ディスク３から再生したりすることができるようになされている。
【００２５】
すなわちかかる光ディスク装置１においては、記録モード時、ホストコンピュータ２から順次与えられるデータをインターフェース部４を介して内部に取り込み、これをエンコーダ部５を介してバッファメモリ６に順次格納するようになされている。
【００２６】
エンコーダ部５は、レイヤードＥＣＣ（Error Correcting Code ）付加処理部７、ＣＩＲＣ（Cross interleave Reed-Solomon Coad）エンコード処理部８、ＥＦＭ（Eight to Fourteen Modulation）変調処理部９から構成され、バッファメモリ６に格納したデータＤ１をセクタ単位（２〔kbyte 〕単位）で順次読み出し、当該データＤ１にレイヤードＥＣＣ付加部７において誤り訂正符号を付加すると共に、ＣＩＲＣエンコード処理部８においてＣＩＲＣエンコード処理及び同期データの挿入処理を施し、さらにＥＦＭ変調処理部９においてＥＦＭ変調処理を施した後、かくして得られた書込みデータＤ２をＲＦアンプ１０を介して光ピックアップ１１に送出する。
【００２７】
光ピックアップ１１は、レーザダイオード、コリメータレンズ、対物レンズ及び受光素子等の光学系デバイスと、レーザダイオードドライバ等の電気系デバイスとを有し、供給される書込みデータＤ２に応じて変調した光ビームＬ１を光ディスク３の記録面に照射する。
【００２８】
またこのとき光ピックアップ１１は、光ディスク３からの反射光Ｌ２に基づいてトラッキングエラー信号及びフォーカスエラー信号等のサーボエラー信号Ｓ１と、プッシュプル信号Ｓ２とを生成し、サーボエラー信号Ｓ１をＲＦアンプ１０を介してサーボ制御部１２に送出すると共に、プッシュプル信号Ｓ２をＡＴＩＰデコーダ部１３に送出する。
【００２９】
サーボ制御部１２は、供給されるサーボエラー信号Ｓ１に基づいてスピンドルドライバ１４を介してスピンドルモータ１５を制御することにより、光ディスク３を所定速度で回転駆動する。またサーボ制御部１２は、サーボエラー信号Ｓ１に基づいてスレッドドライバ１６を介してスレッドモータ１７を制御することにより、光ディスク３上の光ビームＬ１のビームスポット（以下、これを単にビームスポットと呼ぶ）を光ディスク３の記録面に形成されたデータトラック（プリグルーブ又はランド）に沿って当該ディスク３の径方向に移動させる。さらにサーボ制御部１２は、サーボエラー信号Ｓ１に基づいて２軸アクチュエータドライバ１８を介して光ピックアップ１１内の図示しない２軸アクチュエータを制御することより、トラッキング制御及びフォーカス制御を行う。
【００３０】
一方、ＡＴＩＰデコーダ部１３は、供給されるプッシュプル信号Ｓ２をデコード処理することにより、光ディスク３におけるそのときのビームスポットの絶対番地を検出し、これをＣＰＵ（Central Processing Unit ）１９に送出する。
【００３１】
すなわちＡＴＩＰデコーダ部１３は、プッシュプル信号Ｓ２をその内部に設けられた中心周波数22.05[kHz]とする±１[kHz]の範囲のバンドパスフィルタ回路を通すことにより当該プッシュプル信号Ｓ２に含まれるウォブル成分を抽出すると共に、当該ウォブル成分にＦＭ復調処理を施すことによりそのときビームスポットが位置している光ディスク３上の絶対番地を検出し、これを絶対時間情報Ｓ３としてＣＰＵ１９に送出する。
【００３２】
またＡＴＩＰデコーダ部１３は、上述のようなデコード処理により得られる光ディスク３上での絶対番地が変化するごとに（すなわち光ディスクにおけるビームスポットが走査するセクタが変わるごとに）、これを知らせるシンク割込信号Ｓ４をＣＰＵ１９に送出する。
【００３３】
かくしてＣＰＵ１９は、ＡＴＩＰデコーダ部１３から与えられるこれら絶対時間情報信号Ｓ３及びシンク割込信号Ｓ４に基づいて、光ディスク３におけるそのときの記録位置を順次認識し、当該認識結果に基づいて記録データＤ２を正しく光ディスク３に記録し得るように、必要な制御処理を実行する。
【００３４】
これに対して再生モード時、ＣＰＵ１９は、サーボ制御部１２を制御することにより、上述の記録モード時と同様にして、光ディスク３を所定速度で回転駆動させると共に、ビームスポットを光ディスク３のデータトラックに沿って移動させ、かつトラッキング制御及びフォーカス制御を行わせる。
【００３５】
またＣＰＵ１９は、上述した光ピックアップ１１内のレーザダイオードを駆動することにより光ビームＬ１を光ディスク３に向けて発射させる。この結果この光ビームＬ１が光ディスク３の記録面において反射し、その反射光に基づき得られるＲＦ信号でなる光ディスク３から読み出された読出しデータＤ３が光ピックアップ１１からＲＦアンプ１０を介してデコーダ部２０に与えられる。
【００３６】
デコーダ部２０は、ＰＬＬ（Phase Locked Loop ）回路２１、同期データ検出部２２、ＥＦＭ復調部２３、ＣＩＲＣデコード部２４及びレイヤードＥＣＣ復調部２５から構成されており、ＰＬＬ回路２１において供給される読出しデータＤ３からクロックを抽出し、当該抽出したクロックＣＬＫを読出しデータＤ３と共に同期データ検出部２２に送出する。
【００３７】
同期データ検出部２２は、供給されるクロックＣＬＫに基づいて、上述した同期データのデータパターンよりも前後に所定ピットずつ大きいパルス幅の同期データ検出用ウィンドウパルスを生成する。そして同期データ検出部２２は、この同期データ検出用ウィンドウパルスを順次検出すると共に、検出結果に基づいて、読出しデータＤ３を所定単位で順次ＥＦＭ復調部２３に送出する。
【００３８】
そしてこの読出しデータＤ３は、この後ＥＦＭ復調部２３においてＥＦＭ復調処理され、ＣＩＲＣデコード部２４においてＣＩＲＣ復号化処理され、さらにレイヤードＥＣＣ復調部２５において誤り訂正処理が施されることにより記録前の元のフォーマットのデータに変換され、この後インターフェース回路４を介してホストコンピュータ２に送出される。
【００３９】
このようにしてこの光ディスク装置１では、ホストコンピュータ２から与えられるデータＤ１を光ディスク３に記録したり、当該光ディスク３に記録されているデータを再生してホストコンピュータ２に送出したりすることができるようになされている。
【００４０】
（２）光ディスク３の記録フォーマット
次に光ディスク３の記録フォーマットについて説明する。
【００４１】
この光ディスク３の記録面３Ａにおける各エリアの配列及び内容は、orange Book で規定された物理的フォーマットに従って決定される。
【００４２】
実際上光ディスク３の記録面３Ａには、ユーザデータ（すなわち、読出しデータ）Ｄ３が記録されるプログラムエリアＡ１以外にもユーザの使い勝手を向上するための付加情報が記録されているATIP TIME INFORMATION Ａ２が割り当てられている。
【００４３】
このATIP TIME INFORMATION Ａ２は、パワーキャリブレーションエリア（PCA；Power Calibration Area）Ａ２Ａ、プログラムメモリエリア（PMA ；Program  Memory Area ）Ａ２Ｂ、リードインエリアＡ２Ｃ及びリードアウトエリアＡ２Ｄからなる。
【００４４】
そして光ディスク３の記録面３Ａには、図２に示すように、パワーキャリブレーションエリアＡ２Ａ、プログラムメモリエリアＡ２Ｂ、リードインエリアＡ２Ｃ、プログラムエリアＡ１及びリードアウトエリアＡ２Ｄがこの順で内周側から順次設けられている。
【００４５】
このうちパワーキャリブレーションエリアＡ２Ａは、パワーキャリブレーションに利用される領域である。ここでパワーキャリブレーションとは、光ディスク３の記録面３Ａに形成される記録データを表す記録マークの長さを所定の基準長内に収める（すなわちアシンメトリの発生を抑える）のに最適な光ビームパワーとなるように、記録モードの開始直前に、パワーキャリブレーションエリアＡ２Ａ内に試験的に所定の試書き用データを記録しながら、光ディスク３に対する設定可能な書込速度及び記録面３Ａの材質に応じて、光ピックアップ２７内のレーザダイオードの光量を検出することをいう。
【００４６】
またプログラムメモリエリアＡ２Ｂは、光ディスク３の記録過程に関する種々の情報（例えば、追記途中の光ディスク３を取り出す時のスキップ情報）を一時的に保持するための領域である。
【００４７】
さらにリードインエリアＡ２Ｃは、プログラムエリアＡ１に記録されるユーザデータＤ３の記録開始を設定するための導入部となる領域である。
【００４８】
さらにリードアウトエリアＡ２Ｄは、プログラムエリアＡ１に記録されるユーザデータＤ３の記録終了を設定するための導出部となる領域である。
【００４９】
このリードアウトエリアＡ２Ｄには、供給されるユーザデータＤ３のブロック単位で成り立つサブコード信号が書き込まれるようになされている。かかる１ブロックは、図３に示すように、所定のデータ構造からなるフレームが98個分結合したものであり、8チャンネルのサブコードP、Q、R、S、T、U、V及びＷが意味をなす最小単位として論理的に構成されたものである。
【００５０】
具体的に１フレームは、図４に示すように、24ビットのフレーム同期情報と、チャンネルごとに１ビットずつ割り当てられた８チャンネルのサブコードP 、Q、R 、S 、T 、U 、V 及びＷからなる８ビットの固定長データをEFM 変調して得られる14ビットのサブコード情報と、８ビットのオーディオデータをEFM 変調して得られる14ビットのオーディオデータの32個（32シンボル）分を順次間に3 ビットの接続用ビットを介挿して結合させたオーディオ情報とから構成されている。
【００５１】
このサブコード信号のうちQ チャンネルに相当するデータ（以下、これを「サブコードＱデータ」と呼ぶ）DQは、図５に示すように、同期パターンの一部を表す「S0、S1」、音楽信号のチャンネル数やプリエンファシスの有無などの制御信号を表す「CONTROL 」、各種モード及びアドレス情報を表す「ADR 」、トラック番号を表す「TNO 」、インデックス番号を表す「POINT 」、曲中の経過時間を絶対時間情報で表す「MIN 」、「SEC 」及び「FRAME 」、将来的にコマンド等を定義するためにリザーブとして空けてある「ZERO」、曲中の経過時間を相対時間情報で表す「PMIN」、「PSEC」及び「PFRAME」、データ伝送の誤りを検出するための巡回冗長検査を表す「CRC （Cyclic Redundancy Check ）」の順番で順次記述されている。
【００５２】
なおサブコードQ データDQの記録内容は、リードインエリアＡ２Ｃ、プログラムエリアＡ１及びリードアウトエリアＡ２Ｄに分かれており、それぞれのエリアＡ２Ｃ、Ａ１及びＡ２Ｄには、異なる内容が記録されるようになされている。
【００５３】
このうちサブコードQ データDQにおけるリードインエリアＡ２Ｃに相当するATIP情報の配列パターンは、１フレーム分のエキストラ情報の後に9 フレーム分のノーマルタイムコード情報が続くように配置した10フレーム単位で連続的かつ循環的に繰り返すようになされている。
【００５４】
かかるエキストラ情報は、例えばCD−RWの光ディスクの場合、スペシャルインフォメーション（Special Information ）１〜３と、アディショナルインフォメーション（Additional Information）１〜３とからなる。因みにアディショナルインフォメーション３は、将来的に使用するためのリザーブとして現在は空けられている。
【００５５】
このうちスペシャルインフォメーション１は、光ディスク３の種類（例えばCD−Ｒであるか又はCD−RWあるか）や、各記録速度（又は線速度）に応じた光ビームパワー等が記録されている。
【００５６】
またスペシャルインフォメーション２には、リードインエリアＡ２Ｃの開始時刻、スペシャルインフォメーション３には、リードアウトエリアＡ２Ｄの最終的に設定可能な開始時刻、アディショナルインフォメーション１には、光ディスク３に対して設定可能な書込速度等、アディショナルインフォメーション２には、各記録速度に対応してアシンメトリの発生を抑えるのに適当な基準となる光ビームパワー等が、それぞれ記録されている。この基準となる光ビームパワーに基づいて、パワーキャリブレーションが行われる。
【００５７】
具体的には「MIN 」、「SEC 」及び「FRAME 」をそれぞれM 、S 及びF として表すとき、（M 、S 、F ）＝（0 、0 、0 ）はプログラムエリアＡ１及びリードアウトエリアＡ２Ｄのノーマルタイムコード情報を表す。また（M 、S 、F ）＝（1 、0 、0 ）はパワーキャリブレーションエリアＡ２Ａ、プログラムメモリエリアＡ２Ｂ及びリードインエリアＡ２Ｃのノーマルタイムコード情報を表す。また（M 、S 、F ）＝（1 、0 、1 ）はスペシャルインフォメーション１を表し、（M 、S 、F ）＝（1 、1 、0 ）はスペシャルインフォメーション２を表し、（M 、S 、F ）＝（1 、1 、1 ）はスペシャルインフォメーション３を表す。さらに、（M 、S 、F ）＝（0 、0 、1 ）はアディショナルインフォメーション１を表し、（M 、S 、F ）＝（0 、1 、0 ）はアディショナルインフォメーション２を表し、（M 、S 、F ）＝（0 、1 、1 ）はアディショナルインフォメーション３を表す。
【００５８】
光ディスク３が通常型光ディスクである場合は、リードインエリアＡ２Ｃに相当する絶対時間情報は、図６に示すように、1 フレーム分のエキストラ情報を、スペシャルインフォメーション１、２、３及びアディショナルインフォメーション１、２、３と循環的に繰り返す順序（以下、これを「通常型判別順序」と呼ぶ）で割り当てながら、当該エキストラ情報に続いて9 フレーム分のタイムコード情報が配置されるようになされている。
【００５９】
これに対して光ディスク３が特別型光ディスクである場合は、リードインエリアＡ２Ｃに相当する絶対時間情報は、図７に示すように、1フレーム分のエキストラ情報を、スペシャルインフォメーション３、２、１及びアディショナルインフォメーション３、２、１と循環的に繰り返す順序（以下、これを「特別型判別順序」と呼ぶ）で割り当てながら、当該エキストラ情報に続いて9フレーム分のタイムコード情報が配置され、他方リードアウトエリアＡ２Ｄに相当する絶対時間情報も、上述したリードインエリアＡ２Ｃに相当する絶対時間情報とほぼ同様の形式で配置されており、特別型光ディスクに特有の高速記録速度に応じたパラメータで光ビームパワー等が記録されている。
【００６０】
（３）サブコードＱデータＤＱ（必要情報）取得時におけるスピンドルモータ１５の回転制御
次にサブコードＱデータＤＱ取得時におけるスピンドルモータ１５の回転制御について説明する。
【００６１】
ＣＰＵ１９は、光ディスク３が当該光ディスク装置１に装填されると、装填された光ディスク３が記録可能である場合に、ユーザより記録命令を受けると、サーボ制御部１２及び２軸アクチュエータドライバ１８を介して光ピックアップ１１のビームスポット位置を、リードインエリアＡ２Ｃ内に移動させる。
【００６２】
そしてＣＰＵ１９は、光ディスク３の記録面３ＡのリードインエリアＡ２ＣのサブコードＱデータＤＱの記録内容に基づいて、光ディスクの種類を判別する。かかる場合ＣＰＵ１９は、光ディスク３の記録面３ＡのリードインエリアＡ２Ｃに相当する絶対時間情報の配列順序に基づいて、当該光ディスク３が特別型光ディスクであるか否かを判別する。
【００６３】
本実施の形態においてＣＰＵ１９は、光ディスク３が特別型光ディスクであると判別したときは、サーボ制御部１２及びスピンドルドライバ１４を順次介してスピンドルモータ１５の回転速度を維持したまま（すなわち角速度一定で）、サーボ制御部１２及び２軸アクチュエータドライバ１８を順次介して光ピックアップ１１のビームスポット位置を、リードインエリアＡ２ＣからリードアウトエリアＡ２Ｄ内に移動させる。
【００６４】
そしてＣＰＵ１９は、スピンドルモータ１５の回転速度を維持したまま、リードアウトエリアＡ２ＤのサブコードＱデータＤＱを読み取り、読み取ったサブコードＱデータＤＱの記録内容に従って、記録速度及びに記録面３Ａの材質に応じたパワーキャリブレーション時に基準となる光ビームパワー等を設定する。
【００６５】
このように光ディスク装置１では、ＣＰＵ１９は、装填された光ディスク３が特別型光ディスクであるときは、スピンドルモータ１５の回転速度を変更せずに維持したまま、リードアウトエリアＡ２ＤからサブコードＱデータＤＱを読み取ることができる。
【００６６】
（４）記録処理手順
次にこの光ディスク装置１の記録モード時におけるＣＰＵ１９の一連の処理手順について説明する。
【００６７】
この光ディスク装置において、ＣＰＵ１９は、ユーザによって光ディスク３が装填されると、図８に示す記録処理手順ＲＴをステップＳＰ０から開始し続くステップＳＰ１において、サーボ制御部１２及び２軸アクチュエータドライバ１８を介して光ピックアップ１１のビームスポット位置をリードインエリアＡ２C内に移動させる。
【００６８】
そしてＣＰＵ１９は、続くステップＳＰ２において、光ディスク３の線速度が一定になるように、サーボ制御部１２及びスピンドルドライバ１４を順次介してスピンドルモータ１５を制御しながら、光ピックアップ１１からリードインエリアＡ２Ｃに光ビームを照射する。
【００６９】
そしてＣＰＵ１９は、リードインエリアＡ２Ｃからの反射光に基づいて、装填された光ディスク３の種類（例えばCD−R であるかCD−RWであるか、ディスク直径が8[cm] であるか12[cm]であるか等）を、その記録面３Ａに記録されているリードインエリアＡ２ＣのサブコードＱデータＤＱの記録内容に基づいて判別する。
【００７０】
続いてＣＰＵ１９は、ステップＳＰ３に進んで、ステップＳＰ２で光ディスク３が記録可能でないディスクであると判別したときは、ステップＳＰ１４に進んで、当該記録処理を終了する。
【００７１】
これに対してＣＰＵ１９は、ステップ３において、ステップＳＰ２で光ディスク３が記録可能なディスクであると判別したときは、ホストコンピュータ２からコマンドを待ち受け、やがて肯定結果を得るとステップＳＰ５に進んで、与えられたコマンドが記録動作を実行する旨のコマンド（すなわちライトコマンド）であるか否かを判別する。
【００７２】
このステップＳＰ５において否定結果が得られたとき、このことは与えられたコマンドがライトコマンド以外の他のコマンドであることを表しており、このときＣＰＵ１９は、ステップＳＰ６に進んで、当該コマンドを実行した後、再度ステップＳＰ４に戻ってホストコンピュータ２からコマンドが与えられるのを待つ。
【００７３】
これに対してステップＳＰ５において肯定結果が得られたとき、このことは与えられたコマンドがライトコマンドであることを表しており、このときＣＰＵ１９は、ステップＳＰ７に進んで、装填された光ディスク３の記録面３ＡのリードインエリアＡ２Ｃに相当する絶対時間情報の配列順序に基づいて、当該光ディスク３が特別型光ディスクであるか否かを判別する。
【００７４】
このステップＳＰ７において肯定結果が得られると、このことは装填された光ディスク３が特別型光ディスクであることを表しており、このときＣＰＵ１９は、ステップＳＰ８に進んで、サーボ制御部１２及びスピンドルドライバ１４を順次介してスピンドルモータ１５の回転速度を維持したまま、サーボ制御部１２及び２軸アクチュエータドライバ１８を介して光ピックアップ１１のビームスポット位置を、リードアウトエリアＡ２Ｄ内に移動させる。
【００７５】
そしてＣＰＵ１９は、ステップＳＰ９に進んで、スピンドルモータ１５の回転速度を維持したまま、当該光ディスク３の記録面３ＡのリードアウトエリアＡ２Ｄに相当する絶対時間情報の記録内容を読み取ることにより、高速記録速度に応じたパラメータの光ビームパワー等を設定した後、ステップＳＰ１０に進む。
【００７６】
このステップＳＰ１０において、ＣＰＵ１９は、サーボ制御部１２及び２軸アクチュエータドライバ１８を介して光ピックアップ１１のビームスポット位置をリードアウトエリアＡ２Ｄ内に移動させて、さらに光ディスク３の線速度が一定になるように、サーボ制御部１２及びスピンドルドライバ１４を順次介してスピンドルモータ１５を制御する。
【００７７】
そしてＣＰＵ１９は、このリードアウトエリアＡ２Ｄにおいて当該光ディスク３について上述したパワーキャリブレーションが終了しているか否かを判別し、肯定結果が得られたときにはそのままステップＳＰ１２に進む一方、否定結果が得られたときにはステップＳＰ１１に進んで、ステップＳＰ２またはステップＳＰ９において設定したパワーの光ビームでパワーキャリブレーションを実行した後ステップＳＰ１２に進む。
【００７８】
このステップＳＰ１２において、ＣＰＵ１９は、サーボ制御部１２及び２軸アクチュエータドライバ１８を介して光ピックアップ１１のビームスポット位置をプログラムエリアＡ１内に移動させて、光ディスク３の線速度が一定になるようにした状態で、プログラムエリアＡ１にユーザデータＤ３を記録する。
【００７９】
そしてＣＰＵ１９は、ステップＳＰ１３に進んで、当該ユーザデータＤ３の記録動作が終了するのを待った後、ステップＳＰ１４に進んで当該記録処理を終了する。
【００８０】
（５）本実施の形態による動作及び効果
以上の構成において、この光ディスク装置１では、ＣＰＵ１９は、光ディスク３が当該光ディスク装置１に装填されると、装填された光ディスク３が記録可能である場合に、ユーザより記録命令を受けると、光ピックアップ１１のビームスポット位置をリードインエリアＡ２Ｃ内に移動させる。
【００８１】
そしてＣＰＵ１９は、光ディスク３の記録面３ＡのリードインエリアＡ２ＣのサブコードＱデータＤＱの記録内容に基づいて、光ディスクの種類を判別する。このときＣＰＵ１９は、光ディスク３の記録面３ＡのリードインエリアＡ２Ｃに相当する絶対時間情報の配列順序に基づいて、当該光ディスク３が特別型光ディスクであるか否かを判別する。
【００８２】
ここでＣＰＵ１９は、光ディスク３が特別型光ディスクであると判別したときは、スピンドルモータ１５の回転速度を維持したまま、光ピックアップ１１のビームスポット位置をリードインエリアＡ２ＣからリードアウトエリアＡ２Ｄ内に移動させる。
【００８３】
そしてＣＰＵ１９は、リードアウトエリアＡ２ＤのサブコードＱデータＤＱの記録内容に従って、記録速度及びに記録面３Ａの材質に応じたパワーキャリブレーションにおける光ビームパワー等を設定する。
【００８４】
このように光ディスク装置１では、ＣＰＵ１９は、装填された光ディスク３が特別型光ディスクであるときは、スピンドルモータ１５の回転速度を変更せずに維持したまま、リードアウトエリアＡ２ＤからサブコードＱデータＤＱを読み取ることができることから、スピンドルモータ１５の回転制御が容易になると共に、リードアウトエリアＡ２Ｄからの必要情報の読み取りを速くすることができる。
【００８５】
以上の構成において、この光ディスク装置１において、装填された光ディスク３が特別型光ディスクであるときは、スピンドルモータ１５の回転速度を変更せずに維持したまま、リードアウトエリアＡ２ＤからサブコードＱデータＤＱを読み取ることができることから、スピンドルモータ１５の回転制御が容易になると共に、リードアウトエリアＡ２Ｄからの必要情報の読み取りを速くすることができ、かくして使い勝手を向上し得る記録装置を実現できる。
【００８６】
（６）他の実施の形態
なお上述のように本実施の形態においては、本発明をＣＤ−ＲＷに対応する光ディスク装置１に適用するようにした場合について述べたが、本発明はこれに限らず、例えばCD−R 、DVD （Digital Versatile Disc）−R 若しくはDVD −RW等の書込み可能な光ディスクや、MO（Magneto Optical Disc）ディスク等の光磁気ディスク等の種々のディスク状記録媒体に対応するこの他種々の記録装置に広く適用することができる。
【００８７】
また上述の実施の形態においては、第１の領域をリードインエリアＡ２Ｃに適用し、かつ第２の領域をリードアウトエリアＡ２Ｄに適用するようにした場合について述べたが、本発明はこれに限らず、第１の領域及び第２の領域は、光ディスク３の記録面３Ａ上において、それぞれ互いに離れた離間した領域であれば良い。
【００８９】
さらに上述の実施の形態においては、ＣＰＵ１９は、判別した光ディスク３が特別型光ディスクであるときに限り、スピンドルモータ１５の回転速度を変更せずに維持した状態で、リードアウトエリアＡ２ＤからサブコードＱデータＤＱを読み取るようにした場合について述べたが、本発明はこれに限らず、例えばリードインエリアＡ２Ｃ内に、通常型光ディスクであるか特別型光ディスクであるかを判別するための情報が含まれない光ディスク３に対しても本発明を適用できる。かかる場合ＣＰＵ１９は、リードインエリアＡ２ＣからサブコードＱデータＤＱ（必要情報）を読み取った後に、スピンドルモータ１５の回転速度を変更せずに維持した状態で、光ピックアップ１１のビームスポット位置をリードインエリアＡ２ＣからリードアウトエリアＡ２Ｄに移動させる。ここでＣＰＵ１９は、スピンドルモータ１５の回転速度を依然として維持した状態で、リードアウトエリアＡ２Ｄに光ビームを照射する。ここでＣＰＵ１９が、リードアウトエリアＡ２Ｄから必要情報を検出したときは当該光ディスク３が特別型光ディスク３であると判別し、リードアウトエリアＡ２Ｄから必要情報を検出しないときは当該光ディスク３が通常型光ディスク３であると判別する。
【００９０】
さらに上述の実施の形態においては、光ピックアップ１１を再生手段に適用するようにした場合について述べたが、本発明はこれに限らず、例えばＲＦ増幅器１０と光ピックアップ１１とを一体的に設けるようにしても良い。
【００９１】
さらに上述の実施の形態においては、スピンドルモータ１５、スピンドルドライバ１４及びサーボ制御部１２を回転駆動手段に適用するようにした場合について述べたが、本発明はこれに限らず、例えばサーボ制御部１２内にスピンドルドライバ１４を設けるようしても良い。
【００９２】
さらに上述の実施の形態においては、第３の領域をパワーキャリブレーションエリアＡ２Ａに適用するようにした場合について述べたが、本発明はこれに限らず、第３の領域をプログラムエリアＡ１に適用しても良い。かかる場合ＣＰＵ１９は、パワーキャリブレーションをせずに、記録データＤ１の記録処理に入る。
【００９３】
【発明の効果】
上述のように本発明によれば、リードインエリアからリードアウトエリアへ光ピックアップを移動させた際の光ディスクの角速度を回転駆動部に維持させたまま、リードアウトエリアから第２必要情報を光ピックアップに読み取らせるので、リードアウトエリアを読み取らせる際に回転駆動手段による回転制御を変更させる必要がないため、回転駆動手段の回転制御が容易になると共に、リードアウトエリアからの第２必要情報の読み取りを速くすることができ、かくして使い勝手を向上し得る記録装置及び記録方法を実現できる。
【図面の簡単な説明】
【図１】本実施の形態による光ディスク装置の構成を示すブロック図である。
【図２】光ディスクの記録面における各エリアの説明に供する略線図である。
【図３】１ブロックの構成の説明に供する略線図である。
【図４】１フレームの構成の説明に供する略線図である。
【図５】サブコードＱデータの内容の説明に供する概念図である。
【図６】通常型判別順序の内容の説明に供する略線図である。
【図７】特別型判別順序の内容の説明に供する略線図である。
【図８】記録処理手順の説明に供するフローチャートである。
【符号の説明】
１……光ディスク装置、２……ホストコンピュータ、３……光ディスク、３Ａ……記録面、１１……光ピックアップ、１９……ＣＰＵ、Ｄ３……ユーザデータ（読出しデータ）、ＤＱ……サブコードＱデータ、Ａ１……プログラムエリア、Ａ２……ATIP TIME INFORMATION 、Ａ２Ａ……パワーキャリブレーションエリア（ＰＣＡ）、Ａ２Ｂ……プログラムメモリエリア（ＰＭＡ）、Ａ２Ｃ……リードインエリア、Ａ２Ｄ……リードアウトエリア。
【図１】
0004200412.tif 000002
【図２】
0004200412.tif 000003
【図３】
0004200412.tif 000004
【図４】
0004200412.tif 000005
【図５】
0004200412.tif 000006
【図６】
0004200412.tif 000007
【図７】
0004200412.tif 000008
【図８】
0004200412.tif 000009